(57)【特許請求の範囲】
【請求項１】
室内空気を吸い込む吸込口と、蒸発器と、送風機と、吹出口と、前記吸込口から前記蒸発器を経て前記吹出口に至る主風路と、前記吸込口から前記蒸発器をバイパスして前記吹出口に至る側風路とから構成された空気調和装置の室内機であって、
室内の空気湿度を検出する室内空気湿度検出手段と、前記主風路と側風路の通過風量比を算出する風量比算出手段と、前記室内湿度とこの風量比算出手段が算出する風量比から吹出空気湿度を推測する吹出空気湿度推測手段とを備え、前記吹出空気湿度推測手段が推測する湿度情報に基づき、前記送風機の送風量を制御する送風量制御手段を有することを特徴とする空気調和装置の室内機。
【請求項２】
設定温度と室内空気温度から快適な吹き出し空気温度を推測する快適吹出空気温度推測手段を備え、前記吹出空気湿度推測手段が推測する湿度情報と快適吹出空気温度推測手段が推測する温度情報に基づき、前記送風機の送風量を制御する送風量制御手段を有することを特徴とする請求項１記載の空気調和装置の室内機。
【請求項３】
室内空気を吸い込む吸込口と、蒸発器と、送風機と、吹出口と、前記吸込口から前記蒸発器を経て前記吹出口に至る主風路と、前記吸込口から前記蒸発器をバイパスして前記吹出口に至る側風路とから構成された空気調和装置の室内機であって、
室内の空気湿度を検出する室内空気湿度検出手段と、前記主風路と側風路の通過風量比を算出する風量比算出手段と、前記室内湿度とこの風量比算出手段が算出する風量比から吹出空気湿度を推測する吹出空気湿度推測手段とを備え、前記吹出空気湿度推測手段が推測する湿度情報に基づき、前記風路圧損調節体の風路圧損を制御する風路圧損制御手段を有することを特徴とする空気調和装置の室内機。
【請求項４】
設定温度と室内空気温度から快適な吹き出し空気温度を推測する快適吹出空気温度推測手段を備え、前記吹出空気湿度推測手段が推測する湿度情報と快適吹出空気温度推測手段が推測する温度情報に基づき、前記風路圧損調節体の風路圧損を制御する風路圧損制御手段を有することを特徴とする請求項３記載の空気調和装置の室内機。
【請求項５】
前記吹出口から吹き出される空気の温度を検出する吹出空気温度検出手段と、室内空気の温度を検出する室内空気温度検出手段と、前記蒸発器の後流側の主風路の空気温度を検出する主風路空気温度検出手段とを備え、前記風量比算出手段は、前記側風路空気温度と主風路空気温度と吹出空気温度から風量比を算出することを特徴とする請求項１〜４記載の空気調和装置の室内機。
【請求項６】
室内空気を吸い込む吸込口と、蒸発器と、送風機と、吹出口と、前記吸込口から前記蒸発器を経て前記吹出口に至る主風路と、前記吸込口から前記蒸発器をバイパスして前記吹出口に至る側風路と、この側風路を通過する空気を加熱する加熱手段とから構成された空気調和装置の室内機であって、
室内の空気湿度を検出する室内空気湿度検出手段と、前記主風路と側風路の通過風量比を算出する風量比算出手段と、前記室内湿度とこの風量比算出手段が算出する風量比から吹出空気湿度を推測する吹出空気湿度推測手段とを備え、前記吹出空気湿度推測手段が推測する湿度情報に基づき、前記加熱手段の加熱量を制御する加熱量制御手段を有することを特徴とする空気調和装置の室内機。
【請求項７】
設定温度と室内空気温度から快適な吹き出し空気温度を推測する快適吹出空気温度推測手段を備え、前記吹出空気湿度推測手段が推測する湿度情報と快適吹出空気温度推測手段が推測する温度情報に基づき、前記加熱手段の加熱量を制御する加熱量制御手段を有することを特徴とする請求項６記載の空気調和装置の室内機。
【請求項８】
室内の空気温度を検出する室内空気温度検出手段と、前記吹出口から吹き出される空気の温度を検出する吹出空気温度検出手段と、前記蒸発器の後流側の空気温度を検出する主風路空気温度検出手段と、前記送風機の送風量を検出する送風量検出手段と、この送風量と前記加熱手段の加熱量と吹出空気温度から非加熱時の吹出空気温度を推測する非加熱時吹出空気温度推測手段とを備え、前記風量比算出手段は、前記室内空気温度と主風路空気温度と非加熱時の吹出空気温度から風量比を算出することを特徴とする請求項６、７記載の空気調和装置の室内機。
【請求項９】
室内空気を吸い込む吸込口と、蒸発器と、送風機と、吹出口と、前記吸込口から前記蒸発器を経て前記吹出口に至る主風路と、前記吸込口から前記蒸発器をバイパスして前記吹出口に至る側風路と、この側風路に設けられ冷媒流量制御弁を有する熱交換器から構成された空気調和装置の室内機であって、
室内の空気湿度を検出する室内空気湿度検出手段と、前記主風路と側風路の通過風量比を算出する風量比算出手段と、前記室内湿度とこの風量比算出手段が算出する風量比から吹出空気湿度を推測する吹出空気湿度推測手段とを備え、前記吹出空気湿度推測手段が推測する湿度情報に基づき、前記熱交換器に流れる冷媒を制御する冷媒制御手段を有することを特徴とする空気調和装置の室内機。
【請求項１０】
設定温度と室内空気温度から快適な吹き出し空気温度を推測する快適吹出空気温度推測手段を備え、前記吹出空気湿度推測手段が推測する湿度情報と快適吹出空気温度推測手段が推測する温度情報に基づき、前記熱交換器に流れる冷媒を制御する冷媒制御手段を有することを特徴とする請求項９記載の空気調和装置の室内機。
【請求項１１】
前記吹出口から吹き出される空気の温度を検出する吹出空気温度検出手段と、前記側風路を通過する空気の温度を検出する側風路空気温度検出手段と、前記蒸発器の後流側の主風路の空気温度を検出する主風路空気温度検出手段とを備え、前記風量比算出手段は、前記側風路空気温度と主風路空気温度と吹出空気温度から風量比を算出することを特徴とする請求項９、１０記載の空気調和装置の室内機。
【発明の詳細な説明】
【０００１】
【発明の属する技術分野】
この発明は、空気調和装置の室内機の制御に関する。
【０００２】
【従来の技術】
空気調和装置の使用目的は、快適に活動できる室内環境を形成することであり、室内温度は使用者の好みの温度に制御される必要がある。しかし、この室内温度は対流により温度ムラが生じるため、室内の使用者が快適であるとは限らない。特に、使用者が空気調和装置の室内機から吹出される吹出空気を直接受けている場合、使用者はこの吹出空気温度を感じ、この温度によって快適性が大きく左右される。
【０００３】
しかし、従来の空気調和装置の室内機は、吸込口から吸い込まれた空気は全て蒸発器を通過し、冷却・除湿されて吹出口より吹出されるものが主であった。このような構成では、室内空気温度は一定に制御することができるものの、吹出口の吹出空気温度は空調負荷との相関関係で一義的に決定されるため、この温度を制御することができなかった。特に睡眠時間帯である夜は、室内外の温度差があまりなく空気調和装置の冷房負荷が小さくなるため、吹出空気温度が使用者にとって低くなりすぎて寝冷え感となり、空気調和装置が使用されないことが多いという課題を有していた。
【０００４】
この課題を解決するために、例えば特開昭６１ー５９１４３号公報に示されるように、吸込んだ室内空気が蒸発器を通過する主風路と蒸発器をバイパスする側風路とを室内機に設け、これらの風路を通過した空気を室内機内で混合させて吹出空気温度の高温化を可能にした空気調和装置が開発された。
【０００５】
図１８，１９は、従来の空気調和装置の構成図である。３０は空気調和装置の室内機本体、３１はこの本体内に設置された蒸発器、３２は送風機、３３は蒸発器３１を介して送風機３２に至る主風路、３４は蒸発器３１をバイパスする側風路、３５は側風路３４を通過する風量を制御する制御装置である。
【０００６】
次にこの従来の空気調和装置の動作について説明する。
図１８に示す様に、制御装置３５は側風路３４を塞いでいる場合は、室内機３０に吸い込まれる室内空気は、一般の空気調和装置と同様に全て蒸発器３１を通過し、この蒸発器３１で熱交換され吹出される。吹出された空気温度は、空調負荷との相関関係で一義的に決定されるため、吹出空気温度を快適に制御することはできない。
これに対し、図１９に示す様に制御装置３５が側風路３４を塞いでいない場合は、主風路３３を通って蒸発器３１で除湿・冷却された空気と側風路を通った室内空気とが混合して吹出される。吹出された空気温度は、空調負荷のみならず側風路の風量によっても決定され、制御装置３５の風量制御により吹出空気温度の高温化を実現することができる。
【０００７】
【発明が解決しようとする課題】
しかしながら、上記のような空気調和装置の構成では、主風路を通過して冷却された空気と側風路を通過する高温・高湿の空気が混合した場合、この高温高湿の空気が主風路を通過した冷却空気で冷やされ飽和曲線を超えてしまい主風路と側風路の混合部で結露が生じ、室内に露が飛散するという課題があった。
【０００８】
この現象を以下、具体的に説明する。図２０は空気線図で、横軸が乾球温度、縦軸が絶対温度であり、図中に示す曲線は飽和曲線である。また、●は主風路を通過する空気の温湿度、○は室内空気の温湿度で側風路を通過する空気の温湿度である。ここで、主風路を通過する空気と側風路を通過する空気が混合してできる吹出空気の温湿度は、この２つの温湿度を結ぶ線上にある。ここで、室内空気温湿度が高温・高湿の場合には混合された吹出空気の温湿度が飽和曲線を超えて結露する領域にあることから、上述の室内に露が飛散するという課題が生じる。
【０００９】
本発明はかかる課題を解決するためになされたもので、蒸発器をバイパスした空気と蒸発器を通過して冷却された空気とを混合して室内に吹き出す際に生じる結露を防止する空気調和装置の室内機を得ることを目的とする。
【００１０】
【課題を解決するための手段】
本発明は、室内空気を吸い込む吸込口と、蒸発器と、送風機と、吹出口と、前記吸込口から前記蒸発器を経て前記吹出口に至る主風路と、前記吸込口から前記蒸発器をバイパスして前記吹出口に至る側風路とから構成された空気調和装置の室内機であって、
室内の空気湿度を検出する室内空気湿度検出手段と、前記主風路と側風路の通過風量比を算出する風量比算出手段と、前記室内湿度とこの風量比算出手段が算出する風量比から吹出空気湿度を推測する吹出空気湿度推測手段とを備え、前記吹出空気湿度推測手段が推測する湿度情報に基づき、前記送風機の送風量を制御する送風量制御手段を有するものである。
【００１１】
また、本発明は、設定温度と室内空気温度から快適な吹き出し空気温度を推測する快適吹出空気温度推測手段を備え、前記吹出空気湿度推測手段が推測する湿度情報と快適吹出空気温度推測手段が推測する温度情報に基づき、前記送風機の送風量を制御する送風量制御手段を有するものである。
【００１２】
本発明は、室内空気を吸い込む吸込口と、蒸発器と、送風機と、吹出口と、前記吸込口から前記蒸発器を経て前記吹出口に至る主風路と、前記吸込口から前記蒸発器をバイパスして前記吹出口に至る側風路とから構成された空気調和装置の室内機であって、
室内の空気湿度を検出する室内空気湿度検出手段と、前記主風路と側風路の通過風量比を算出する風量比算出手段と、前記室内湿度とこの風量比算出手段が算出する風量比から吹出空気湿度を推測する吹出空気湿度推測手段とを備え、前記吹出空気湿度推測手段が推測する湿度情報に基づき、前記風路圧損調節体の風路圧損を制御する風路圧損制御手段を有するものである。
【００１３】
また、本発明は、設定温度と室内空気温度から快適な吹き出し空気温度を推測する快適吹出空気温度推測手段を備え、前記吹出空気湿度推測手段が推測する湿度情報と快適吹出空気温度推測手段が推測する温度情報に基づき、前記風路圧損調節体の風路圧損を制御する風路圧損制御手段を有するものである。
【００１４】
また、本発明は、前記吹出口から吹き出される空気の温度を検出する吹出空気温度検出手段と、室内空気の温度を検出する室内空気温度検出手段と、前記蒸発器の後流側の主風路の空気温度を検出する主風路空気温度検出手段とを備え、前記風量比算出手段は、前記側風路空気温度と主風路空気温度と吹出空気温度から風量比を算出するものである。
【００１５】
本発明は、室内空気を吸い込む吸込口と、蒸発器と、送風機と、吹出口と、前記吸込口から前記蒸発器を経て前記吹出口に至る主風路と、前記吸込口から前記蒸発器をバイパスして前記吹出口に至る側風路と、この側風路を通過する空気を加熱する加熱手段とから構成された空気調和装置の室内機であって、
室内の空気湿度を検出する室内空気湿度検出手段と、前記主風路と側風路の通過風量比を算出する風量比算出手段と、前記室内湿度とこの風量比算出手段が算出する風量比から吹出空気湿度を推測する吹出空気湿度推測手段とを備え、前記吹出空気湿度推測手段が推測する湿度情報に基づき、前記加熱手段の加熱量を制御する加熱量制御手段を有するものである。
【００１６】
また、本発明は、設定温度と室内空気温度から快適な吹き出し空気温度を推測する快適吹出空気温度推測手段を備え、前記吹出空気湿度推測手段が推測する湿度情報と快適吹出空気温度推測手段が推測する温度情報に基づき、前記加熱手段の加熱量を制御する加熱量制御手段を有するものである。
【００１７】
また、本発明は、室内の空気温度を検出する室内空気温度検出手段と、前記吹出口から吹き出される空気の温度を検出する吹出空気温度検出手段と、前記蒸発器の後流側の空気温度を検出する主風路空気温度検出手段と、前記送風機の送風量を検出する送風量検出手段と、この送風量と前記加熱手段の加熱量と吹出空気温度から非加熱時の吹出空気温度を推測する非加熱時吹出空気温度推測手段とを備え、前記風量比算出手段は、前記室内空気温度と主風路空気温度と非加熱時の吹出空気温度から風量比を算出するものである。
【００１８】
本発明は、室内空気を吸い込む吸込口と、蒸発器と、送風機と、吹出口と、前記吸込口から前記蒸発器を経て前記吹出口に至る主風路と、前記吸込口から前記蒸発器をバイパスして前記吹出口に至る側風路と、この側風路に設けられ冷媒流量制御弁を有する熱交換器から構成された空気調和装置の室内機であって、
室内の空気湿度を検出する室内空気湿度検出手段と、前記主風路と側風路の通過風量比を算出する風量比算出手段と、前記室内湿度とこの風量比算出手段が算出する風量比から吹出空気湿度を推測する吹出空気湿度推測手段とを備え、前記吹出空気湿度推測手段が推測する湿度情報に基づき、前記熱交換器に流れる冷媒を制御する冷媒制御手段を有するものである。
【００１９】
また、本発明は、設定温度と室内空気温度から快適な吹き出し空気温度を推測する快適吹出空気温度推測手段を備え、前記吹出空気湿度推測手段が推測する湿度情報と快適吹出空気温度推測手段が推測する温度情報に基づき、前記熱交換器に流れる冷媒を制御する冷媒制御手段を有するものである。
【００２０】
また、本発明は、前記吹出口から吹き出される空気の温度を検出する吹出空気温度検出手段と、前記側風路を通過する空気の温度を検出する側風路空気温度検出手段と、前記蒸発器の後流側の主風路の空気温度を検出する主風路空気温度検出手段とを備え、前記風量比算出手段は、前記側風路空気温度と主風路空気温度と吹出空気温度から風量比を算出するものである。
【００２１】
【発明の実施の形態】
実施の形態１．
図１は本発明の実施の形態１に係わる空気調和装置の室内機の構成図、図２は本発明の実施の形態１に係わる空気調和装置の室内機の風量比算出手段の特性図、図３は本発明の実施の形態１に係わる空気調和装置の室内機の吹出空気湿度推測手段の特性図、図４は本発明の実施の形態１に係わる空気調和装置の室内機の制御ブロック図である。
【００２２】
図１〜４において、１は空気調和装置の壁掛け式の室内機本体で、蒸発器２と送風機３を収納する。４ａは本体１の前方位置に設けられ室内空気をこの本体１内に吸い込む第１の吸込口、４ｂは本体１の上部位置に設けられた第２の吸込口、５ａは吸込口４ａから蒸発器２を経て送風機３に至る主風路、５ｂは吸込口４ｂから蒸発器２をバイパスして主風路と連通する側風路、６は送風機３の下方に位置して空気を室内に吹出す吹出口、７は蒸発器２で除湿したドレンを受けるドレン受けである。
８は空気調和装置１の前面に設けられ側風路５ｂの空気温度を検出する室内空気温度検出手段、９は空気調和装置１の前面に設けられ室内の絶対湿度を検出する室内絶対湿度検出手段、１０は蒸発器２に付設され蒸発器２の温度を直接検出する主風路空気温度検出手段、１１は吹出口６に付設され吹出空気の温度を検出する吹出空気温度検出手段である。これらの検出手段はたとえばサーミスタ等の温度センサ又は湿度センサから構成される。本実施の形態で主風路空気温度検出手段１０は、蒸発温度Ｔｅが主風路５ａを通過する空気温度に等しいと仮定して蒸発器２の温度を測定しているが、これに限らず、蒸発器２の後流側に設けて直接主風路５ａを通過する空気温度を測定しても良い。また、側風路５ｂを通過する空気温度と室内温度Ｔａが等しいと仮定して室内空気温度検出手段８で側風路５ｂの空気温度を測定しているが、これに限らず、直接側風路５ｂを通過する空気温度を測定しても良い。尚、本明細書の実施の形態において単に「湿度」と言うときは、「相対湿度」を言うものとする。
【００２３】
１２は側風路５ｂを通過する吸込空気の圧損を発生する抵抗体である。この抵抗体の圧損効果により、吸込口４ａから吸い込まれる空気量と吸込口４ｂから吸い込まれる空気量とを調節することができる。この抵抗体としては、空気清浄機能を有するフィルタ等が考えられる。このフィルタとして、例えばＨＥＰＡフィルタを用いれば、吸込口４ｂから吸い込んだ空気の塵埃を捕集することもできる。
【００２４】
１３は室内機本体１内に配置される制御回路に組み込まれたマイコン、１４は主風路５ａと側風路５ｂの通過風量の総和に対する主風路５ａの風量の割合を算出する風量比算出手段、１５は吹出空気の湿度を推測する吹出空気湿度推測手段、１６は推測された吹出空気湿度から結露の可能性を推測する結露推測手段、１７は結露推測手段１６が推測する情報に基づき送風機３の送風量を制御する送風量制御手段である。この風量比算出手段１４、吹出空気湿度推測手段１５、結露推測手段１６、送風量制御手段１７はマイコン１３の中に含まれている。
【００２５】
次に、前記のように構成された空気調和装置の室内機の冷房時の動作を図４のフローに基づいて説明する。ここで、前述の通り主風路５ａを通過する空気温度は蒸発器２を通過するため蒸発温度Ｔｅと等しいと仮定でき、側風路５ｂを通過する空気温度は室内空気温度Ｔａと等しくなる。従って、主風路５ａを通過する空気温度である蒸発温度Ｔｅ、側風路５ｂを通過する空気温度である室内空気温度Ｔａ、吹出空気温度Ｔｆを検出すると、主風路５ａと側風路５ｂの通過風量の総和に対する主風路５ａの風量の割合である風量比ｒｆを算出することができ、具体的には以下の様に行われる。
図２において、横軸は吹出空気温度Ｔｆを、縦軸は風量比ｒｆを示したものである。風量比ｒｆ=１（吸込口４ａのみしか吸い込みがない場合）の時、吹出空気温度Ｔｆは蒸発器２の温度Ｔｅに等しくなり、風量比ｒｆ=０の時は、吹出空気温度Ｔｆが室内空気温度Ｔａに等しくなる。風量比ｒｆと吹出空気温度Ｔｆは、この２点を結ぶ直線上を推移するので、風量比ｒｆは蒸発温度Ｔｆ、室内空気温度Ｔａ、吹出空気温度Ｔｆから以下の式で求めることができる。
ｒｆ=（Ｔａ―Ｔｆ）／（Ｔａ−Ｔｅ）
ここで、
ｒｆ：風量比
Ｔａ：室内空気温度
Ｔｆ：吹出空気温度
Ｔｅ：蒸発温度
【００２６】
次に、室内絶対湿度検出手段９で検出された室内空気の絶対湿度Ｘａと風量比算出手段１４で算出された風量比ｒｆを入力として、吹出空気湿度推測手段１５で吹出空気温度を算出する。
図３は、横軸は風量比ｒｆを、縦軸は吹出空気の絶対湿度Ｘｆを示したものである。風量比ｒｆが１（吸込口４ａからのみしか吸い込みがない）の場合、主風路５ａを通過する空気は蒸発器２で除湿されるため、吹出空気の絶対湿度Ｘｆは蒸発温度Ｔｅにおける飽和空気の絶対湿度Ｘａと等しくなる。また、風量比ｒｆが０の場合、吹出空気の絶対湿度Ｘｆは室内空気の絶対湿度Ｘａと等しくなる。吹出空気の絶対湿度Ｘｆと風量比ｒｆは、図３に示す直線上を推移するので、ＸｆはｒｆとＸａから次式で求めることができる。
【００２７】
Ｘｆ=（Ｘｅ―Ｘａ）×ｒｆ＋Ｘａ
ここで、
Ｘａ：室内空気絶対湿度
Ｘｆ：吹出空気絶対湿度
Ｘｅ：蒸発温度Ｔｅにおける飽和空気の絶対湿度
この関係のデータを予めマイコン１３に記憶させておけば、風量比ｒｆと室内空気の絶対湿度Ｘａから吹出空気の絶対湿度Ｘｆを算出することができる。
【００２８】
次に、この吹出空気絶対湿度Ｘｆと吹出空気温度Ｔｆから吹出空気湿度Ｒｆを算出する。これは、予めマイコン１３に一般の空気線図で示される温度と絶対湿度と相対湿度の相関関係のデータを記憶させておき、吹出空気温度Ｔｆと吹出空気絶対湿度Ｘｆの入力より、容易に吹出空気湿度Ｒｆを算出することができる。
【００２９】
次に、結露推測手段１６で吹出空気の結露の可能性を推測する。吹出空気の結露は、側風路５ｂを流れる高温・高湿度の空気が、蒸発器２で冷却された主風路５ａを流れる低温の空気により冷却され、吹出空気温度Ｔｆでの相対湿度が１００％以上になった時に発生する。従って、吹出空気湿度推測手段１５で推測した吹出空気湿度が１００％以上か、または以下かで、結露する・しないを推測することができる。しかし、この吹出空気湿度推測手段１５の推測ばらつきを考慮すると、以下の様に結露する・しないを推測するのが最適と考えられる。
【００３０】
この結露推測手段１６では、予め結露する可能性が高い湿度Ｒｓを設定し、この設定湿度Ｒｓと推測された吹出空気湿度Ｒｆを比較して、吹出空気湿度Ｒｆが設定湿度Ｒｓ以下であった場合は吹出空気が結露しないものと推測し、吹出空気湿度Ｒｆが所定の設定湿度Ｒｓ以上であった場合は、吹出空気が結露すると推測する。設定湿度Ｒｓは、吹出空気湿度を推測する推測手段１５の精度が高ければ限りなく１００％近くに設定でき、逆に精度が低ければ９５％程度としてばらついた場合でも結露の危険性を回避する必要がある。
【００３１】
結露推測手段１６にて、吹出空気湿度Ｒｆが設定湿度Ｒｓ以上と判定した場合は、送風量制御手段１７で送風量を増加させれば、蒸発器２の蒸発能力が下がり蒸発温度Ｔｅが上昇するので、吹出空気湿度Ｒｆは低くなり結露を防ぐことができる。
【００３２】
これら、一連の制御を空気調和装置の室内機の運転時に繰り返し、又は一定のタイミングで行うことで、蒸発器をバイパスした空気と蒸発器を通過して冷却された空気とを混合して室内に吹き出す際に生じる結露を防止する空気調和装置の室内機を得ることを目的とする。また、吹出口に直接湿度センサを設けるものに比べ、広範囲特に湿度が高い場合でも、正確に吹出空気湿度を推測でき、センサ寿命も永く維持することができる。
【００３３】
実施の形態２．
図５は本発明の実施の形態２に係わる空気調和装置の室内機の構成図、図６は本発明の実施の形態２に係わる空気調和装置の室内機の制御の基本概念を示す制御ブロック図である。なお、実施の形態１と同一又は相当部分には同じ符号を付し説明を省略する。
図５,６において、１８は側風路５ｂの風量を調節するダンパ、１９は結露推測手段１６が推測する情報に基づきダンパ１８の開度を変化させる風路圧損制御手段である。
【００３４】
次に、前記のように構成された空気調和装置の室内機の冷房時の動作を図６のフローに基づいて説明する。風量比算出手段１４、吹出空気温度推測手段１５、結露推測手段１６に関しては実施の形態１と同じである。
【００３５】
この結露推測手段１６で、吹出空気湿度Ｒｆが所定の設定湿度Ｒｓ以上であった場合は、吹出空気が結露すると推測し、風路圧損制御手段１９はダンパ１８の開度を開いて風路圧損を減少させる。側風路５ｂの風路圧損が減少すると、通過する空気量の割合が多くなり、風量比ｒｆの値が小さくなる。風量比ｒｆが小さくなると、吹出空気温度Ｔｆが上昇するため吹出空気湿度Ｒｆが減少するので、吹出空気湿度Ｒｆが所定の設定湿度Ｒｓ以下に制御され、結露を防ぐことができる。
【００３６】
この時、実施の形態１で説明した風量制御手段１７と風路圧損制御手段１９の両方をマイコン１３で制御することにより、吹出空気湿度Ｔｆを設定湿度Ｔｓ以下になるように制御しても良い。この場合は、両方の制御手段を用いるので、一方の制御手段を用いる場合に比べ制御範囲が広がり、適切に結露を防止することが可能である。
【００３７】
実施の形態３．
図７は本発明の実施の形態１に係わる空気調和装置の室内機の構成図、図８は本発明の実施の形態１に係わる空気調和装置の室内機の制御ブロック図である。なお、実施の形態１と同一又は相当部分には同じ符号を付し説明を省略する。
【００３８】
図７，８において、２０は側風路５ｂを通過する空気を加熱する電気ヒーター等の加熱手段、２１は送風機３の回転数を検出する送風量検出手段、２２は電流値等から加熱量を検知する加熱量検知手段、２３は非加熱時の吹出空気温度を推測する吹出空気温度推測手段、２４は加熱量制御手段である。
【００３９】
次に、前記のように構成された空気調和装置の室内機の冷房時の動作を図８のフローに基づいて説明する。風量比算出手段１４、吹出空気温度推測手段１５、結露推測手段１６に関しては実施の形態１と同じである。
実施の形態１では、主風路５ａを通過する空気温度が蒸発温度Ｔｅと等しく、側風路５ｂを通過する空気温度が室内空気温度Ｔａと等しいと仮定し、蒸発温度Ｔｅ，室内空気温度Ｔａ，吹出空気温度Ｔｆから、主風路５ａと側風路５ｂの風量比を算出した。しかし、本実施形態では、側風路５ｂに加熱手段２０を設けたので、側風路５ｂを通過する空気温度が室内空気温度Ｔａと異なるため、実施形態１と同様の方法では風量比を算出することができない。
【００４０】
そのため、吹出空気温度Ｔｆと送風機３の送風量Ｎｆと加熱手段２０の加熱量Ｈｆをマイコン１３に入力して非加熱時の吹出空気温度Ｔｆ’を推測した後、実施の形態１で説明したのと同様に蒸発温度Ｔｅ，室内空気温度Ｔａ，非加熱時の吹出空気温度Ｔｆ’から風量比ｒｆを算出する。
具体的には、加熱手段２０から側風路５ｂを通過する空気が与えられた熱量は、非加熱時と加熱時の空気温度差に比熱と空気量（送風量）を乗じたものと等しく、熱量保存の法則により、この与えられた熱量が加熱手段２０により加えられた加熱量Ｈｆとなるので、以下の式で示すことができる。
Ｈｆ＝Ｎｆ×Ｃｐ×（Ｔｆ−Ｔｆ’）
ここで、
Ｃｐ：空気の比熱
Ｈｆ：空気加熱量
Ｎｆ：送風量
Ｔｆ：加熱時の吹出空気温度
Ｔｆ’：非加熱時の吹出空気温度
【００４１】
ここで、予めマイコン１３に空気の比熱Ｃｐを記憶させておけば、吹出空気温度検出手段１１、送風量検出手段２１、加熱量検出手段２２からの情報と上記式から非加熱時の吹出空気温度Ｔｆ’を算出することができる。この非加熱時の吹出空気温度Ｔｆ’を算出すれば、後は実施の形態１と同様に風量比ｒｆを算出できる。
本実施の形態では新たに温度センサを設けることなく非加熱時の吹出空気温度Ｔｆ’から風量比ｒｆを算出しているが、加熱手段２０の後流側に温度センサを設ける構成でも良い。そうすれば、直接側風路５ｂを通過する空気温度を測定することができる。
【００４２】
また、風量比算出手段１４、吹出空気温度推測手段１５、結露推測手段１６に関しては実施の形態１と同じである。この結露推測手段１６で、吹出空気湿度Ｒｆが所定の設定湿度Ｒｓ以上であった場合は、吹出空気が結露すると推測し、加熱量制御手段１９で加熱量を増加させ、側風路５ｂを通過する空気の温度を上げる。よって、吹出空気温度Ｔｆが上昇するため吹出空気湿度Ｒｆが減少するので、吹出空気湿度Ｒｆが所定の設定湿度Ｒｓ以下に制御され、結露を防ぐことができる。
【００４３】
この場合、実施の形態１で説明した風量制御手段１７と加熱量制御手段２４の両方をマイコン１３で制御することにより、吹出空気湿度Ｒｆを設定湿度Ｒｓ以下になるように制御しても良い。この場合は、両方の制御手段を用いるので、一方の制御手段を用いる場合に比べ制御範囲が広がり、適切に結露を防止することが可能である。
また、図９に示すように実施の形態２で説明したダンパ１８の開度を調節する風路圧損制御手段１９を組み合わせて、この風路圧損制御手段１９と加熱量制御手段２４の両方をマイコン１３で制御することにより、吹出空気湿度Ｒｆを設定湿度Ｒｓ以下になるように制御しても良い。この場合も制御範囲が広がり、適切に結露を防止することが可能である。
【００４４】
更に、加熱手段２０にペルチエ素子を用いても良い。ペルチエ素子は、冷却面と放熱面を有し、全体的には放熱効果を与える素子である。従って、ヒータと同様に加熱手段２０として用いることが可能であるとともに、冷却面では結露により湿度を下げる効果も有する。特に、蒸発温度があまり高くなく湿度が高い場合は、このペルチエ素子の除湿能力を有効に活用でき、より快適な空気調和装置の室内機を提供することができる。
【００４５】
実施の形態４．
図１０は本発明の実施の形態４に係わる空気調和装置の室内機の構成図、図１１は本発明の実施の形態４に係わる空気調和装置の室内機の制御ブロック図である。なお、実施の形態１と同一又は相当部分には同じ符号を付し説明を省略する。
図１０，１１において、２５は側風路５ｂに設けられた熱交換器、２６は熱交換器２５内の冷媒を制御する冷媒制御手段である。この熱交換器２５は入口に冷媒流量制御弁２５’を備え、流れる冷媒の状態により蒸発器としても凝縮器としても機能することが可能である。
２７は熱交換器２５の温度を検出する熱交換器温度検出手段である。なお、熱交換器温度検出手段２７に代えて、熱交換器２５の後流側に温度センサを設け、熱交換器２５を通過した後の空気温度を検出しても良く、この場合にはより正確に側風路５ｂを通過する空気温度を検出できる。
【００４６】
次に、前記のように構成された空気調和装置の室内機の冷房時の動作を図１１のフローに基づいて説明する。風量比算出手段１４、吹出空気温度推測手段１５、結露推測手段１６に関しては実施の形態１と同じである。
本実施形態では、側風路５ｂに熱交換器２５を設けたので、熱交換器２５を通過後の空気温度が室内空気温度Ｔａと異なるため、実施形態１と同様の方法では風量比を算出することができない。
【００４７】
そこで、熱交換器２５の温度が側風路５ｂを通過する空気温度と仮定し、熱交換器温度検出手段２７で熱交換器温度Ｔｈを検出する。本実施の形態では、この熱交換器温度Ｔｈ、蒸発温度Ｔｅ、吹出空気温度Ｔｆを入力すると風量比算出手段１４で風量比ｒｆを算出する。
【００４８】
この結露推測手段１６で、吹出空気湿度Ｒｆが所定の設定湿度Ｒｓ以上であった場合は、吹出空気が結露すると推測する。この熱交換器２５を凝縮器として用いれば、通過空気は加熱するため側風路５ｂを通過する空気温度を上げることができる。また、蒸発器として用いても、冷媒の流量を制御することで蒸発温度（熱交換器温度Ｔａ）を変えることができる。従って、いずれの場合も吹出空気温度Ｔｆが上昇させることができ、吹出空気湿度Ｒｆが減少するので、吹出空気湿度Ｒｆが所定の設定湿度Ｒｓ以下に制御され、結露を防ぐことができる。
【００４９】
この場合でも、実施の形態１で説明した風量制御手段１７とこの冷媒制御手段２５の両方をマイコン１３で制御することにより、吹出空気湿度Ｒｆを設定湿度Ｒｓ以下になるように制御しても良い。この場合も制御範囲が広がり、適切に結露を防止することが可能である。
【００５０】
また図１２に示す様に、実施の形態３で説明した加熱手段２０が設けられている場合には、場合によっては加熱量制御手段２４で吹出空気湿度を制御するようにしても良く、加熱量制御手段２４と冷媒制御手段２６の両方をマイコン１３で制御することにより、吹出空気湿度Ｒｆを設定湿度Ｒｓ以下になるように制御しても良い。この場合加熱手段２０の後流側に温度センサが必要となるが、より制御範囲が広がり、適切に結露を防止することができる。
【００５１】
実施の形態５．
図１３は本発明の実施の形態５に係わる空気調和装置の室内機の制御の基本概念を示す制御ブロック図、図１４は本発明の実施の形態５に係わる空気調和装置の快適吹出空気温度推測手段の特性図である。空気調和装置の構成図は図１を流用する。なお、実施の形態１と同一又は相当部分には同じ符号を付し説明を省略する。
【００５２】
図１，１３，１４において、２８は室内空気温度検出手段８が検出する室内温度と設定温度に基づき快適吹出空気温度を推測する快適吹出空気温度推測手段である。例えば冷房運転の場合、空気調和装置の運転を開始させた直後は、室内空気温度が設定温度より高く使用者も暑く感じているため、一般に使用者は設定温度よりも冷たい吹出空気を快適と感じる。一方、室内空気温度と設定温度がほぼ同等である場合は、設定温度より低い温度の吹出空気はかえって使用者に肌寒さを感じさせるため、設定温度に近い吹出空気温度が快適な吹出空気温度であるものと考えられる。
【００５３】
従って、室内空気温度が設定温度より高い場合は、吹出温度は低い方が快適であり、室内空気温度が設定温度に近いほど吹出空気温度は室内空気温度に近い方が快適であるとして、室内空気温度と設定温度との温度差と快適吹出空気温度の間には相関関係がある。この相関の詳細は感覚実験で求めることができ、図１４にその１例を示す。図１４は快適吹出空気温度推測手段の特性図であり、横軸は室内空気温度、縦軸は快適吹出空気温度である。ここでは、設定温度Ｔｓを２５℃に設定した場合について述べる。
【００５４】
室内空気温度が設定温度に比べ５ｄｅｇ以上高い場合、使用者は室内温度が暑いと感じているため吹出空気温度は室温に比べ低い方が快適である。一方、一定温度以上低いと不快と感じるので、具体的には快適吹出空気温度は２０℃程度の一定で推移する。
また、室内空気温度が２５℃のときは快適吹出空気温度も２５℃になる。快適吹出温度を示す推移は、室内空気温度に比べ５ｄｅｇ未満の場合では、この２点を結ぶ直線上を中心に移動し、少なくとも図１４に示す∠ＡＯＡ’の範囲内で推移するものと考えられる。
【００５５】
次に、前記のように構成された空気調和装置の室内機の冷房時の動作を図１３のフローに基づいて説明する。風量比算出手段１４、吹出空気湿度推測手段１５、結露推測手段１６に関しては実施の形態１と同じである。
快適吹出空気温度推測手段２５は室内空気温度検出手段８で検出された室内空気温度Ｔａと設定温度Ｔｓから快適吹出空気温度Ｔｇを推測する。この快適吹出空気温度Ｔｇの演算は具体的には、以下の様に行われる。図１２に示される室内空気温度Ｔａと設定温度Ｔｓの相関に基づくデータを予めマイコン１３に記憶させておき、室内空気温度Ｔａと設定温度Ｔｓがマイコン１３に入力されると、この記憶されたデータに基づいて快適吹出空気温度を推測する。
【００５６】
この結露推測手段１６で、吹出空気湿度Ｒｆが設定湿度Ｒｓ以上と推定した場合は、送風量制御手段１７で送風量を増加させ蒸発温度Ｔｅを上昇させて、これにより吹出空気湿度Ｒｆは設定湿度Ｒｓ以下になり結露を防ぐことができるのは、実施の形態１で述べたとおりであるが、この場合の吹出空気温度Ｔｆと快適吹出空気温度Ｔｇを比較して快適吹出空気温度Ｔｇが吹出空気温度Ｔｆより低い場合には、結露を防ぐことができる最小必要風量に制御する。また、快適吹出空気温度Ｔｇが吹出空気温度Ｔｆより高い場合には、送風量制御手段１７で送風量を更に増加させることで、蒸発温度Ｔｅを上昇させ、これにより吹出空気温度Ｔｆを快適吹出空気温度Ｔｇまで上昇させる。
【００５７】
一方、結露推測手段１６にて、吹出空気湿度Ｔｆが設定湿度Ｒｓより低く結露しないと推測した場合は、吹出空気温度Ｔｆと快適吹出空気温度Ｔｇを比較して快適吹出空気温度Ｔｇが吹出空気温度Ｔｆより低い場合には、送風量制御手段１７で送風量を調整し。吹出空気温度Ｔｆを快適吹出空気温度Ｔｇと一致させる。また、快適吹出空気温度Ｔｇが吹出空気温度Ｔｆより高い場合には、送風量制御手段１７で送風量を増加させることで、蒸発温度Ｔｅを上昇させ、これにより吹出空気温度Ｔｆを快適吹出空気温度Ｔｇまで上昇させる。
【００５８】
実施の形態６．
図１５は本発明の実施の形態６に係わる空気調和装置の室内機の制御の基本概念を示す制御ブロック図である。空気調和装置の構成図は図５を流用する。なお、実施の形態２、実施形態５と同一又は相当部分には同じ符号を付し説明を省略する。
【００５９】
次に、前記のように構成された空気調和装置の室内機の冷房時の動作を図１５のフローに基づいて説明する。風量比算出手段１４、吹出空気湿度推測手段１５、結露推測手段１６、快適吹出空気温度推測手段２５に関しては実施の形態１・５と同じである。
この結露推測手段１６で、吹出空気湿度Ｒｆが設定湿度Ｒｓ以上と推定した場合は、ダンパ１８で側風路５ｂを通過する風量を増加させて吹出空気湿度Ｒｆは設定湿度Ｒｓ以下にして結露を防ぐことができるのは、実施の形態２で述べたとおりである。この時、吹出空気温度Ｔｆと快適吹出空気温度Ｔｇを比較して快適吹出空気温度Ｔｇが吹出空気温度Ｔｆより低い場合には、結露を防ぐことができる最小開度にダンパ１８を開閉制御する。また、快適吹出空気温度Ｔｇが吹出空気温度Ｔｆより高い場合には、ダンパ１８の開度を更に開くことで、吹出空気温度Ｔｆを快適吹出空気温度Ｔｇまで上昇させる。
【００６０】
一方、結露推測手段１６にて、吹出空気湿度Ｔｆが設定湿度Ｒｓより低く結露しないと推測した場合は、吹出空気温度Ｔｆと快適吹出空気温度Ｔｇを比較して快適吹出空気温度Ｔｇが吹出空気温度Ｔｆより低い場合には、ダンパ１８の開度を狭めて、吹出空気温度Ｔｆを快適吹出空気温度Ｔｇと一致させる。また、快適吹出空気温度Ｔｇが吹出空気温度Ｔｆより高い場合には、ダンパ１８の開度を開いて、吹出空気温度Ｔｆを快適吹出空気温度Ｔｇまで上昇させる。
【００６１】
実施の形態７．
図１６は本発明の実施の形態７に係わる空気調和装置の室内機の制御の基本概念を示す制御ブロック図である。空気調和装置の構成図は図７を流用する。なお、実施の形態３、実施形態５と同一又は相当部分には同じ符号を付し説明を省略する。
【００６２】
次に、前記のように構成された空気調和装置の室内機の冷房時の動作を図１６のフローに基づいて説明する。風量比算出手段１４、吹出空気湿度推測手段１５、結露推測手段１６、快適吹出空気温度推測手段２５に関しては実施の形態３・５と同じである。
この結露推測手段１６で、吹出空気湿度Ｒｆが設定湿度Ｒｓ以上と推定した場合は、加熱量制御手段２４は加熱手段２０の加熱量を増加させ、これにより吹出空気湿度Ｒｆを設定湿度Ｒｓ以下にして結露を防ぐことができるのは、実施の形態３で述べたとおりである。この時、吹出空気温度Ｔｆと快適吹出空気温度Ｔｇを比較して快適吹出空気温度Ｔｇが吹出空気温度Ｔｆより低い場合には、結露を防ぐことができる最小の加熱量を加える様に加熱手段２０を制御する。また、快適吹出空気温度Ｔｇが吹出空気温度Ｔｆより高い場合には、加熱手段２０の加熱量を更に増加させて、、吹出空気温度Ｔｆを快適吹出空気温度Ｔｇまで上昇させる。
【００６３】
一方、結露推測手段１６にて、吹出空気湿度Ｔｆが設定湿度Ｒｓより低く結露しないと推測した場合は、吹出空気温度Ｔｆと快適吹出空気温度Ｔｇを比較して快適吹出空気温度Ｔｇが吹出空気温度Ｔｆより低い場合には、加熱手段２０の加熱を抑止して、吹出空気温度Ｔｆを快適吹出空気温度Ｔｇと一致させる。また、快適吹出空気温度Ｔｇが吹出空気温度Ｔｆより高い場合には、加熱量制御手段２４が加熱手段２０の加熱量を増加させて、吹出空気温度Ｔｆを快適吹出空気温度Ｔｇまで上昇させる。
【００６４】
実施の形態８．
図１７は本発明の実施の形態８に係わる空気調和装置の室内機の制御の基本概念を示す制御ブロック図である。空気調和装置の構成図は図１０を流用する。なお、実施の形態４、実施形態５と同一又は相当部分には同じ符号を付し説明を省略する。
【００６５】
次に、前記のように構成された空気調和装置の室内機の冷房時の動作を図１７のフローに基づいて説明する。風量比算出手段１４、吹出空気湿度推測手段１５、結露推測手段１６、快適吹出空気温度推測手段２５に関しては実施の形態４・５と同じである。
この結露推測手段１６で、吹出空気湿度Ｒｆが設定湿度Ｒｓ以上と推定した場合は、冷媒制御手段２６で冷媒の状態を変化させ、吹出空気湿度Ｒｆを設定湿度Ｒｓ以下にして結露を防ぐことができるのは、実施の形態４で述べたとおりである。この時、快適吹出空気温度Ｔｇが吹出空気温度Ｔｆより高い場合には、冷媒制御手段２６で冷媒の状態を変化させ、吹出空気温度Ｔｆを快適吹出空気温度Ｔｇまで上昇させる。
【００６６】
一方、結露推測手段１６にて、吹出空気湿度Ｔｆが設定湿度Ｒｓより低く結露しないと推測した場合は、吹出空気温度Ｔｆと快適吹出空気温度Ｔｇを比較して、その比較に基づいて、冷媒制御手段２６で冷媒の状態を変化させ、吹出空気温度Ｔｆを快適吹出空気温度Ｔｇに一致させる。
【００６７】
【発明の効果】
以上の発明から明らかなように本発明に係わる空気調和装置の室内機は、室内空気を吸い込む吸込口と、蒸発器と、送風機と、吹出口と、前記吸込口から前記蒸発器を経て前記吹出口に至る主風路と、前記吸込口から前記蒸発器をバイパスして前記吹出口に至る側風路とから構成された空気調和装置の室内機であって、室内の空気湿度を検出する室内空気湿度検出手段と、前記主風路と側風路の通過風量比を算出する風量比算出手段と、前記室内湿度とこの風量比算出手段が算出する風量比から吹出空気湿度を推測する吹出空気湿度推測手段とを備え、前記吹出空気湿度推測手段が推測する湿度情報に基づき、前記送風機の送風量を制御する送風量制御手段を有するものである。この結果、蒸発器を通過して冷却された空気とバイパスした空気とを混合して被空調空間に吹出す際に、室内への結露水の飛散を防止し、吹出空気温度を高くして使用者に与える冷刺激を低減して不快さを軽減できる安価な空気調和装置の室内機を得ることができる。
【００６８】
また、本発明に係わる空気調和装置の室内機は、設定温度と室内空気温度から快適な吹き出し空気温度を推測する快適吹出空気温度推測手段を備え、前記吹出空気湿度推測手段が推測する湿度情報と快適吹出空気温度推測手段が推測する温度情報に基づき、前記送風機の送風量を制御する送風量制御手段を有するものである。この結果、蒸発器を通過して冷却された空気とバイパスした空気とを混合して被空調空間に吹出す際に、室内への結露水の飛散を防止し、吹出空気温度を使用者の快適と感じる温度に制御する空気調和装置の室内機を得ることができる。
【００６９】
本発明に係わる空気調和装置の室内機は、室内空気を吸い込む吸込口と、蒸発器と、送風機と、吹出口と、前記吸込口から前記蒸発器を経て前記吹出口に至る主風路と、前記吸込口から前記蒸発器をバイパスして前記吹出口に至る側風路とから構成された空気調和装置の室内機であって、
室内の空気湿度を検出する室内空気湿度検出手段と、前記主風路と側風路の通過風量比を算出する風量比算出手段と、前記室内湿度とこの風量比算出手段が算出する風量比から吹出空気湿度を推測する吹出空気湿度推測手段とを備え、前記吹出空気湿度推測手段が推測する湿度情報に基づき、前記風路圧損調節体の風路圧損を制御する風路圧損制御手段を有するものである。この結果、蒸発器を通過して冷却された空気とバイパスした空気とを混合して被空調空間に吹出す際に、室内への結露水の飛散を防止し、吹出空気温度を高くして使用者に与える冷刺激を低減して不快さを軽減できる安価な空気調和装置の室内機を得ることができる。
【００７０】
また、本発明に係わる空気調和装置の室内機は、設定温度と室内空気温度から快適な吹き出し空気温度を推測する快適吹出空気温度推測手段を備え、前記吹出空気湿度推測手段が推測する湿度情報と快適吹出空気温度推測手段が推測する温度情報に基づき、前記風路圧損調節体の風路圧損を制御する風路圧損制御手段を有するものである。この結果、蒸発器を通過して冷却された空気とバイパスした空気とを混合して被空調空間に吹出す際に、室内への結露水の飛散を防止し、吹出空気温度を使用者の快適と感じる温度に制御する空気調和装置の室内機を得ることができる。
【００７１】
また、本発明に係わる空気調和装置の室内機は、前記吹出口から吹き出される空気の温度を検出する吹出空気温度検出手段と、室内空気の温度を検出する室内空気温度検出手段と、前記蒸発器の後流側の主風路の空気温度を検出する主風路空気温度検出手段とを備え、前記風量比算出手段は、前記側風路空気温度と主風路空気温度と吹出空気温度から風量比を算出するものである。この結果、温度センサと湿度センサだけで得られる情報とその情報に基づく推測手段を用いた制御を行うことで、蒸発器を通過して冷却された空気とバイパスした空気とを混合して被空調空間に吹出す際に、室内への結露水の飛散を防止し、吹出空気温度を高くして使用者に与える冷刺激を低減して不快さを軽減できる安価な空気調和装置の室内機を得ることができる。
【００７２】
また、本発明に係わる空気調和装置の室内機は、室内空気を吸い込む吸込口と、蒸発器と、送風機と、吹出口と、前記吸込口から前記蒸発器を経て前記吹出口に至る主風路と、前記吸込口から前記蒸発器をバイパスして前記吹出口に至る側風路と、この側風路を通過する空気を加熱する加熱手段とから構成された空気調和装置の室内機であって、
室内の空気湿度を検出する室内空気湿度検出手段と、前記主風路と側風路の通過風量比を算出する風量比算出手段と、前記室内湿度とこの風量比算出手段が算出する風量比から吹出空気湿度を推測する吹出空気湿度推測手段とを備え、前記吹出空気湿度推測手段が推測する湿度情報に基づき、前記加熱手段の加熱量を制御する加熱量制御手段を有するものである。この結果、蒸発器を通過して冷却された空気とバイパスした空気とを混合して被空調空間に吹出す際に、室内への結露水の飛散を防止し、吹出空気温度を高くして使用者に与える冷刺激を低減して不快さを軽減できる安価な空気調和装置の室内機を得ることができる。
【００７３】
また、本発明に係わる空気調和装置の室内機は、設定温度と室内空気温度から快適な吹き出し空気温度を推測する快適吹出空気温度推測手段を備え、前記吹出空気湿度推測手段が推測する湿度情報と快適吹出空気温度推測手段が推測する温度情報に基づき、前記加熱手段の加熱量を制御する加熱量制御手段を有するものである。この結果、蒸発器を通過して冷却された空気とバイパスした空気とを混合して被空調空間に吹出す際に、室内への結露水の飛散を防止し、吹出空気温度を使用者の快適と感じる温度に制御する空気調和装置の室内機を得ることができる。
【００７４】
また、本発明に係わる空気調和装置の室内機は、室内の空気温度を検出する室内空気温度検出手段と、前記吹出口から吹き出される空気の温度を検出する吹出空気温度検出手段と、前記蒸発器の後流側の空気温度を検出する主風路空気温度検出手段と、前記送風機の送風量を検出する送風量検出手段と、この送風量と前記加熱手段の加熱量と吹出空気温度から非加熱時の吹出空気温度を推測する非加熱時吹出空気温度推測手段とを備え、前記風量比算出手段は、前記室内空気温度と主風路空気温度と非加熱時の吹出空気温度から風量比を算出するものである。この結果、温度センサと湿度センサだけで得られる情報とその情報に基づく推測手段を用いた制御を行うことで、蒸発器を通過して冷却された空気とバイパスした空気とを混合して被空調空間に吹出す際に、室内への結露水の飛散を防止し、吹出空気温度を高くして使用者に与える冷刺激を低減して不快さを軽減できる安価な空気調和装置の室内機を得ることができる。
【００７５】
また、本発明に係わる空気調和装置の室内機は、室内空気を吸い込む吸込口と、蒸発器と、送風機と、吹出口と、前記吸込口から前記蒸発器を経て前記吹出口に至る主風路と、前記吸込口から前記蒸発器をバイパスして前記吹出口に至る側風路と、この側風路に設けられ冷媒流量制御弁を有する熱交換器から構成された空気調和装置の室内機であって、
室内の空気湿度を検出する室内空気湿度検出手段と、前記主風路と側風路の通過風量比を算出する風量比算出手段と、前記室内湿度とこの風量比算出手段が算出する風量比から吹出空気湿度を推測する吹出空気湿度推測手段とを備え、前記吹出空気湿度推測手段が推測する湿度情報に基づき、前記熱交換器に流れる冷媒を制御する冷媒制御手段を有するものである。この結果、蒸発器を通過して冷却された空気とバイパスした空気とを混合して被空調空間に吹出す際に、室内への結露水の飛散を防止し、吹出空気温度を高くして使用者に与える冷刺激を低減して不快さを軽減できる安価な空気調和装置の室内機を得ることができる。
【００７６】
また、本発明に係わる空気調和装置の室内機は、設定温度と室内空気温度から快適な吹き出し空気温度を推測する快適吹出空気温度推測手段を備え、前記吹出空気湿度推測手段が推測する湿度情報と快適吹出空気温度推測手段が推測する温度情報に基づき、前記熱交換器に流れる冷媒を制御する冷媒制御手段を有するものである。この結果、蒸発器を通過して冷却された空気とバイパスした空気とを混合して被空調空間に吹出す際に、室内への結露水の飛散を防止し、吹出空気温度を使用者の快適と感じる温度に制御する空気調和装置の室内機を得ることができる。
【００７７】
また、本発明に係わる空気調和装置の室内機は、前記吹出口から吹き出される空気の温度を検出する吹出空気温度検出手段と、前記側風路を通過する空気の温度を検出する側風路空気温度検出手段と、前記蒸発器の後流側の主風路の空気温度を検出する主風路空気温度検出手段とを備え、前記風量比算出手段は、前記側風路空気温度と主風路空気温度と吹出空気温度から風量比を算出するものである。この結果、温度センサと湿度センサだけで得られる情報とその情報に基づく推測手段を用いた制御を行うことで、蒸発器を通過して冷却された空気とバイパスした空気とを混合して被空調空間に吹出す際に、室内への結露水の飛散を防止し、吹出空気温度を高くして使用者に与える冷刺激を低減して不快さを軽減できる安価な空気調和装置の室内機を得ることができる。
【図面の簡単な説明】
【図１】  この発明の実施形態１の構成を示す空気調和装置の室内機の構成図である。
【図２】  この発明の実施形態１の構成を示す空気調和装置の室内機の風量比算出手段の特性図である。
【図３】  この発明の実施形態１の構成を示す空気調和装置の室内機の吹出空気湿度推測手段の特性図である。
【図４】  この発明の実施形態１の構成を示す空気調和装置の室内機の制御の基本概念を示す制御ブロック図である。
【図５】  この発明の実施形態２の構成を示す空気調和装置の室内機の構成図である。
【図６】  この発明の実施形態２の構成を示す空気調和装置の室内機の制御の基本概念を示す制御ブロック図である。
【図７】  この発明の実施形態３の構成を示す空気調和装置の室内機の構成図である。
【図８】  この発明の実施形態３の構成を示す空気調和装置の室内機の制御の基本概念を示す制御ブロック図である。
【図９】  この発明の実施形態３の構成を示す空気調和装置の室内機の構成図である。
【図１０】  この発明の実施形態４の構成を示す空気調和装置の室内機の構成図である。
【図１１】  この発明の実施形態４の構成を示す空気調和装置の室内機の制御の基本概念を示す制御ブロック図である。
【図１２】  この発明の実施形態４の構成を示す空気調和装置の室内機の構成図である。
【図１３】  この発明の実施形態５の構成を示す空気調和装置の室内機の制御の基本概念を示す制御ブロック図である。
【図１４】  この発明の実施形態５の構成を示す空気調和装置の快適吹出空気温度推測手段の特性図である。
【図１５】  この発明の実施形態６の構成を示す空気調和装置の室内機の制御の基本概念を示す制御ブロック図である。
【図１６】  この発明の実施形態７の構成を示す空気調和装置の室内機の制御の基本概念を示す制御ブロック図である。
【図１７】  この発明の実施形態８の構成を示す空気調和装置の室内機の制御の基本概念を示す制御ブロック図である。
【図１８】  従来の空気調和装置の制御装置閉時の構成図である。
【図１９】  従来の空気調和装置の制御装置開時の構成図である。
【図２０】  空気線図である。
【符号の説明】
１  空気調和装置室内機本体、  ２  蒸発器、  ３  送風機、  ４ａ  第１の吸込口、  ４ｂ  第２の吸込口、  ５ａ  主風路、、  ５ｂ  側風路、  ６  吹出口、  ７  ドレン受け、  ８  室内空気温度検出手段、  ９  室内絶対湿度検出手段、  １０  主風路空気温度検出手段、  １１  吹出空気温度検出手段、  １２  抵抗体、  １３  マイコン、  １４  風量比算出手段、  １５  吹出空気湿度推測手段、  １６  結露推測手段、  １７  送風量制御手段、  １８  ダンパ、、  １９  風路圧損制御手段、  ２０  加熱手段、  ２１  送風量検出手段、  ２２  加熱量検出手段、  ２３  非加熱時吹出空気温度推測手段、  ２４  加熱量制御手段、  ２５  熱交換器、  ２６  冷媒制御手段、  ２７  熱交換器温度検出手段、  ２８  快適吹出空気温度推測手段、  ３０  空気調和装置本体、  ３１熱交換器、  ３２  送風機、  ３３  主風路、  ３４  側風路、  ３５
制御装置。
【図１】
0003747687.tif 000002
【図２】
0003747687.tif 000003
【図３】
0003747687.tif 000004
【図４】
0003747687.tif 000005
【図５】
0003747687.tif 000006
【図６】
0003747687.tif 000007
【図７】
0003747687.tif 000008
【図８】
0003747687.tif 000009
【図９】
0003747687.tif 000010
【図１０】
0003747687.tif 000011
【図１１】
0003747687.tif 000012
【図１２】
0003747687.tif 000013
【図１３】
0003747687.tif 000014
【図１４】
0003747687.tif 000015
【図１５】
0003747687.tif 000016
【図１６】
0003747687.tif 000017
【図１７】
0003747687.tif 000018
【図１８】
0003747687.tif 000019
【図１９】
0003747687.tif 000020
【図２０】
0003747687.tif 000021